(57)【要約】【課題】患者に不快感を与えずに皮膚冷却装置を衛生的に使用する。【解決手段】皮膚冷却装置用カバー袋１は、ポリエチレンからなる透明なフィルムで袋状に形成され、熱伝達性の高い柔軟性を有する。カバー袋１は、皮膚冷却装置１０を出し入れする第１開口部５と、皮膚冷却装置１０を収容部４に収容した状態で皮膚冷却装置１０に空気を導入する第２開口部６、及び皮膚冷却装置１０から熱気を排出する第３開口部７とを備える。使用時に、皮膚冷却装置１０をカバー袋１に収容し、接触部が患者の穿刺箇所に直接接触しないように接触部をカバー袋１で覆う。【選択図】図５
2014039727.tif 000002
【特許請求の範囲】
【請求項１】
熱伝達性の高い柔軟性を有する樹脂製フィルムで袋状に形成され、
患者の穿刺箇所に接触させる接触部に対応してペルチェ素子が内蔵された皮膚冷却装置を出し入れする第１開口部と、
上記皮膚冷却装置を収容した状態で上記接触部周りに対応して形成され、上記皮膚冷却装置に空気を導入する第２開口部、及び上記皮膚冷却装置から熱気を排出する第３開口部とを有し、
使用時に、上記皮膚冷却装置を収容し、上記接触部が患者の穿刺箇所に直接接触しないように少なくとも上記接触部を覆うことを特徴とする皮膚冷却装置用カバー袋。
【請求項２】
請求項１に記載の皮膚冷却装置用カバー袋において、
上記第１開口部の反対側奥端には、上記皮膚冷却装置を収容した状態で当該皮膚冷却装置の接触部側の端部の形状に沿って当接する当接部が設けられていることを特徴とする皮膚冷却装置用カバー袋。
【請求項３】
請求項１又は２に記載の皮膚冷却装置用カバー袋において、
未使用状態で扁平に対面する一方、使用状態で互いに離間して内部に収容部が形成される表面部及び裏面部からなり、該表面部及び裏面部の各外周縁部は、一部を除いて接合され、
上記第１開口部は、上記表面部及び裏面部の同じ側の各外周縁部における非接合部分で形成され、
上記裏面部には、上記第１開口部周縁から上記皮膚冷却装置の上記収容部への挿入方向反対側に延出する延出部が設けられていることを特徴とする皮膚冷却装置用カバー袋。
【請求項４】
請求項３に記載の皮膚冷却装置用カバー袋において、
上記未使用状態の第１開口部周りの幅が、当該第１開口部周りに連続する奥部側の幅より広いことを特徴とする皮膚冷却装置用カバー袋。
【請求項５】
請求項３又は４に記載の皮膚冷却装置用カバー袋において、
上記第２及び第３開口部の少なくとも一方は、上記表面部及び裏面部の同じ側の各外周縁部における非接合部分で形成され、該非接合部分は当該非接合部分に連続する接合部分よりも外側方に張り出していることを特徴とする皮膚冷却装置用カバー袋。
【請求項６】
請求項３から５のいずれか１つに記載の皮膚冷却装置用カバー袋は、扁平な状態で取外可能に台紙に貼り付けて使用されることを特徴とする皮膚冷却装置用カバー袋。
【発明の詳細な説明】
【技術分野】
【０００１】
本発明は、皮膚冷却装置を使用する際に皮膚冷却装置の患者の穿刺箇所に接触させる部分を覆うカバー袋に関する。
【背景技術】
【０００２】
従来より、医療現場において透析治療や採血等を行う際、患者の血管に針を刺す、所謂、穿刺を行う。この穿刺行為は患者に苦痛を与えるため、この苦痛を緩和する手段として、患者の穿刺箇所を予め冷却する手法が一般に採用されている。
【０００３】
例えば、特許文献１では、穿刺箇所を冷却する皮膚冷却装置が開示され、該皮膚冷却装置は、内部に中空部を有する直方体形状の本体ケースと、該本体ケース側面から斜め上方に延びる細角筒状のハンドルとを備え、該ハンドルの内部空間は上記中空部に連通している。上記本体ケースの下面は、患者の穿刺箇所に接触させる接触部が設けられ、上記中空部には、ペルチェ素子が上記接触部に対応する位置に収容されている。上記本体ケース上面には、中空部の熱気を排出する排出口が形成され、上記中空部には、ファンが上記排出口に対応する位置に取り付けられている。そして、接触部を患者の穿刺箇所に接触させて皮膚冷却装置の電源を入れると、ペルチェ素子に電流が流れて接触部が冷却されるとともに、上記ファンが駆動して空気が上記ハンドルの延出端側開口から中空部に導入されてペルチェ素子を冷却し、その後、熱気が上記排出口から排出されるようになっている。
【先行技術文献】
【特許文献】
【０００４】
【特許文献１】特許第４９５６７５８号公報（段落００２５〜００２８欄、図１）
【発明の概要】
【発明が解決しようとする課題】
【０００５】
ところで、特許文献１の如き皮膚冷却装置は、使用の都度、次の使用に備えて、接触部をアルコール等で消毒するのが一般的である。しかし、アルコール等で接触部を消毒しても、患者に接触部を直接接触させるので、次にその皮膚冷却装置が使用される患者は不快感を覚えるおそれがある。また、皮膚冷却装置を使用する毎に接触部を消毒するとはいえ、複数の患者の穿刺箇所に接触部を直接接触させるので、皮膚冷却装置の使用によって患者間に病気の感染が引き起こされるおそれもある。
【０００６】
本発明は、斯かる点に鑑みてなされたものであり、その目的とするところは、患者に不快感を与えずに皮膚冷却装置を衛生的に使用できるようにすることにある。
【課題を解決するための手段】
【０００７】
上記の目的を達成するために、本発明は、皮膚冷却装置の使用時に接触部をカバー袋で覆うようにしたことを特徴とする。
【０００８】
すなわち、第１の発明では、熱伝達性の高い柔軟性を有する樹脂製フィルムで袋状に形成され、患者の穿刺箇所に接触させる接触部に対応してペルチェ素子が内蔵された皮膚冷却装置を出し入れする第１開口部と、上記皮膚冷却装置を収容した状態で上記接触部周りに対応して形成され、上記皮膚冷却装置に空気を導入する第２開口部、及び上記皮膚冷却装置から熱気を排出する第３開口部とを有し、使用時に、上記皮膚冷却装置を収容し、上記接触部が患者の穿刺箇所に直接接触しないように少なくとも上記接触部を覆うことを特徴とする。
【０００９】
第２の発明では、第１の発明において、上記第１開口部の反対側奥端には、上記皮膚冷却装置を収容した状態で当該皮膚冷却装置の接触部側の端部の形状に沿って当接する当接部が設けられていることを特徴とする。
【００１０】
第３の発明では、第１又は第２の発明において、未使用状態で扁平に対面する一方、使用状態で互いに離間して内部に収容部が形成される表面部及び裏面部からなり、該表面部及び裏面部の各外周縁部は、一部を除いて接合され、上記第１開口部は、上記表面部及び裏面部の同じ側の各外周縁部における非接合部分で形成され、上記裏面部には、上記第１開口部周縁から上記皮膚冷却装置の上記収容部への挿入方向反対側に延出する延出部が設けられていることを特徴とする。
【００１１】
第４の発明では、第３の発明において、上記未使用状態の第１開口部周りの幅が、当該第１開口部周りに連続する奥部側の幅より広いことを特徴とする。
【００１２】
第５の発明では、第３又は第４の発明において、上記第２及び第３開口部の少なくとも一方は、上記表面部及び裏面部の同じ側の各外周縁部における非接合部分で形成され、該非接合部分は当該非接合部分に連続する接合部分よりも外側方に張り出していることを特徴とする。
【００１３】
第６の発明では、第３から第４のいずれか１つの発明の皮膚冷却装置用カバー袋は、扁平な状態で取外可能に台紙に貼り付けて使用されることを特徴とする。
【発明の効果】
【００１４】
第１の発明では、カバー袋で皮膚冷却装置の接触部周りを覆った状態で、空気が第２開口部から皮膚冷却装置にスムーズに導入されるとともに、皮膚冷却装置内部の熱気が第３開口部からスムーズに排出されるので、カバー袋で皮膚冷却装置の接触部周りを覆ってもペルチェ素子が確実に冷却されて接触部の冷却効率の低下を防ぐことができる。また、皮膚冷却装置で患者の穿刺箇所を冷却する際、穿刺箇所に接触部をカバー袋を介して間接的に接触させるので、穿刺箇所に接触部を直接的に接触させる場合に比べて、次にその皮膚冷却装置を使用する患者の不快感を抑制できる。しかも、患者の穿刺箇所に接触部が間接的に接触するので、次の患者に対して新しいカバー袋を使用することで患者間の病気の感染を防止することができる。
【００１５】
第２の発明では、カバー袋で皮膚冷却装置の接触部周りを覆った状態で、当接部に皮膚冷却装置の接触部側の端部が当接することにより、カバー袋に対する皮膚冷却装置の挿入方向の移動と挿入方向と交差する方向の移動とが抑制される。したがって、カバー袋に対して皮膚冷却装置がずれ難くなることで、第２及び第３開口部が皮膚冷却装置の空気導入部分及び熱気排出部分に対してずれ難くなり、皮膚冷却装置を使用する際にペルチェ素子を確実に冷却することができる。
【００１６】
第３の発明では、未使用状態でカバー袋が扁平であるので、カバー袋を複数枚束ねても嵩張らず、収納場所に収納し易い。また、皮膚冷却装置を収容部に収容する際、皮膚冷却装置をカバー袋の延出部に宛がって第１開口部に向かって移動させると、延出部が皮膚冷却装置を収容部に案内するので、施術者は、皮膚冷却装置を収容部に簡単に収容することができる。
【００１７】
第４の発明では、皮膚冷却装置を収容部に収容する際、未使用状態のカバー袋の第１開口部周りに連続する奥部側の表面部及び裏面部を互いに離間させて収容部を広げると、第１開口部周りに連続する奥部側が第１開口部周りを引っ張り、第１開口部周りが開口側に行くにつれて次第に大きく口をあけた形状となる。したがって、皮膚冷却装置を収容部に収容する際に、皮膚冷却装置がカバー袋の第１開口部周縁に接触し難くなり、皮膚冷却装置の収容部への収容がさらに簡単になる。
【００１８】
第５の発明では、皮膚冷却装置を収容部に収容する際、皮膚冷却装置の外形に対応するようにカバー袋の収容部が広がると、第２又は第３開口部周縁の張出部分は皮膚冷却装置の外形に沿って移動できずに行き場が無くなるので、表面部側と裏面部側とが互いに離間して環状に開口する。したがって、未使用状態で第２又は第３開口部が閉じた状態であっても、皮膚冷却装置をカバー袋の収容部に収容する動作で第２又は第３開口部を広げることができる。また、皮膚冷却装置をカバー袋の収容部に収容すると、張出部分が皮膚冷却装置の本体ケースの表面に対して交差するように立ち上がって第２又は第３開口部の開口面積が保たれるので、皮膚冷却装置の空気導入部分及び熱気排出部分において空気の導入及び熱気の排気がなされる際に、張出部分が上記空気導入部分及び熱気排出部分を覆って塞いでしまうといったことがなく、皮膚冷却装置に対する空気の導入及び熱気の排出を確実に行うことができる。
【００１９】
第６の発明では、柔軟性を有するカバー袋が台紙によって変形し難くなるので、カバー袋が取り扱い易くなる。また、皮膚冷却装置を収容部に収容する際、皮膚冷却装置をカバー袋の台紙に貼り付けられた側に沿って移動させると、台紙がカバー袋の変形を抑制するので、皮膚冷却装置が滑らかに収容部に案内され、施術者は、第３の発明よりもさらに皮膚冷却装置を収容部に簡単に収容することができる。
【図面の簡単な説明】
【００２０】
【図１】本発明の実施形態に係る皮膚冷却装置用カバー袋の平面図である。
【図２】本発明の実施形態に係る皮膚冷却装置用カバー袋が台紙に貼り付けられている状態を示す平面図である。
【図３】本発明の実施形態における皮膚冷却装置を示し、（ａ）は、表側から見た斜視図、（ｂ）は、裏側から見た斜視図である。
【図４】皮膚冷却装置用カバー袋に皮膚冷却装置を収容する直前の状態を示す斜視図である。
【図５】皮膚冷却装置用カバー袋に皮膚冷却装置を収容した直後の状態を示す斜視図である。
【発明を実施するための形態】
【００２１】
以下、本発明の実施形態を図面に基づいて詳細に説明する。尚、以下の好ましい実施形態の説明は、本質的に例示に過ぎない。
【００２２】
図１は、本発明の実施形態に係る皮膚冷却装置用カバー袋１を示す。該カバー袋１は、ポリエチレンからなる厚みが約０．１ｍｍの透明フィルムで袋状に形成され、熱伝達性の高い柔軟性を有しており、図３に示す皮膚冷却装置１０を使用する際に当該皮膚冷却装置１０全体を収容するものである。
【００２３】
該皮膚冷却装置１０は、患者に穿刺行為をする際に、患者の穿刺箇所を予め冷却するものであり、一端側が厚みを有する略円盤状をなすとともに中途部から他端側にかけて緩やかに上傾して施術者の把持部１２ａを構成する本体ケース１２を備えている。
【００２４】
該本体ケース１２の一端側下面には、患者の穿刺箇所に接触させる厚みの薄い略円盤状の接触部１５が設けられ、上記本体ケース１２一端側には、上記接触部１５に対応してペルチェ素子１６が内蔵されている（図３（ｂ）参照）。
【００２５】
上記本体ケース１２一端側の両側面下部には、当該本体ケース１２内部に空気を導入する空気導入部１３が一対設けられ、該空気導入部１３は、上記本体ケース１２の長手方向に所定の間隔をあけて形成された複数の導入スリット１３ａで構成されている。
【００２６】
また、上記本体ケース１２の一端側上面には、平面視で当該本体ケース１２の一端外周縁に沿って延びる略三日月状をなす排出部１４が凹設されている。
【００２７】
該排出部１４には、複数の排出スリット１４ａが上記排出部１４の延出方向に所定の間隔をあけて形成され、該各排出スリット１４ａは、上記ペルチェ素子１６の発熱による上記本体ケース１２内部の熱気を外部に排出するようになっている。
【００２８】
そして、上記本体ケース１２の中途部上面には、電源スイッチ１２ｂが設けられ、該電源スイッチ１２ｂを押すと、上記ペルチェ素子１６に電流が流れて上記接触部１５が冷却されるようになっている。
【００２９】
また、上記ペルチェ素子１６は、図示しないファンが駆動することにより上記空気導入部１３から本体ケース１２内部に導入される空気によって冷却され、上記ペルチェ素子１６を冷却することで発生する熱気は、上記排出部１４から排出されるようになっている。
【００３０】
上記カバー袋１は、図４及び図５に示すように、未使用状態で扁平に対面する一方、使用状態で互いに離間して内部に収容部４が形成される表面部２及び裏面部３からなっている。
【００３１】
該表面部２及び裏面部３は、平面視で略長方形状をなし、長手方向一端に位置する短辺の外周縁部同士と各長辺の長手方向中途部から他端までの外周縁部同士とを溶着Ｗ１により接合して一体となっている。すなわち、上記表面部２及び裏面部３の各外周縁部は、一部を除いて接合されている。
【００３２】
上記表面部２及び裏面部３の長手方向他端の各外周縁部は、互いに接合されていない非接合部分であり、上記皮膚冷却装置１０を上記収容部４に出し入れする第１開口部５を構成している。
【００３３】
上記未使用状態の第１開口部５周りの幅Ｄ１は、図１に示すように、上記未使用状態の表面部２及び裏面部３における長手方向中途部から他端寄りの位置までの幅Ｄ２より広く設定されている。すなわち、上記未使用状態の第１開口部５周りの幅Ｄ１は、当該第１開口部５周りに連続する奥部側の幅Ｄ２より広く設定されている。
【００３４】
また、上記裏面部３には、上記第１開口部５周縁から上記皮膚冷却装置１０の上記収容部４への挿入方向反対側に延出する延出部３ａが設けられ、その両角は、湾曲形状に面取りがなされている。
【００３５】
上記表面部２及び裏面部３における各長辺の一端側外周縁部の同じ側は、互いに接合されていない非接合部分であり、上記収容部４に上記皮膚冷却装置１０を収容した状態で上記各空気導入部１３にそれぞれ対応する（上記接触部１５周りに対応する）一対の第２開口部６を構成し、上記皮膚冷却装置１０に空気を導入するようになっている。
【００３６】
上記各第２開口部６周りは、当該第２開口部周りに連続する接合部分よりも外側方に張り出していて、使用状態で、略短筒状をなしている（図５参照）。
【００３７】
上記表面部２の長手方向一端側略中央には、上記収容部４に上記皮膚冷却装置１０を収容した状態で上記排出部１４に対応する（上記接触部１５周りに対応する）第３開口部７が貫通形成され、該第３開口部７は、上記皮膚冷却装置１０から熱気を排出するようになっている。
【００３８】
上記カバー袋１の長手方向一端、すなわち、上記第１開口部５の反対側奥端には、上記皮膚冷却装置１０を収容した状態で当該皮膚冷却装置１０の接触部１５側端部に当接する当接部９が設けられている。
【００３９】
該当接部９は、湾曲状をなすように外側方に膨出しており、上記本体ケース１２の長手方向一端の形状に沿って当接するようになっている。
【００４０】
そして、上記カバー袋１は、上記皮膚冷却装置１０を収容部４に収容した状態で、上記接触部１５が患者の穿刺箇所に直接接触しないように上記接触部１５を覆うようになっている。
【００４１】
また、上記カバー袋１は、図２に示すように、扁平な状態で略長方形状の台紙１１の略中央に取外可能に貼り付けて使用可能となっている。
【００４２】
上記台紙１１は、紙の片面をポリエチレンや配向ポリプロピレン等のポリオレフィン、或いはその他の熱可塑性エラストマ−の薄膜でラミネ−トしたものであり、上記カバー袋１より変形し難い材質である。尚、台紙１１の材質は、カバー袋１が取外可能に貼り付けることができ、しかも、カバー袋１より変形し難いものであれば、上述の材質以外のもので形成してもよい。
【００４３】
上記台紙１１の長辺側寸法は、上記カバー袋１の長辺側寸法より長く設定される一方、短辺側寸法は、上記第２開口部６の外周縁部間の寸法と同じに設定され、上記裏面部３の第２開口部６に対応する部分以外の外周縁部が溶着Ｗ２により台紙１１表面に接合されている。
【００４４】
次に、施術者が上記皮膚冷却装置１０で患者の穿刺箇所を冷却する際について説明する。
【００４５】
まず、施術者は、図２に示す台紙１１に貼付られたカバー袋１を１枚用意し、上記皮膚冷却装置１０の把持部１２ａを持って上記本体ケース１２の長手方向一端側を上記カバー袋１の第１開口部５に近づける。
【００４６】
次に、上記カバー袋１の第１開口部５周りに連続する奥部側の表面部２を持ち上げて当該表面部２と裏面部３とを互いに離間させて収容部４を広げる。すると、カバー袋１の第１開口部５周りに連続する奥部側が第１開口部５周りを引っ張り、第１開口部５周りが開口側に行くにつれて次第に大きく口をあけた形状となる。したがって、皮膚冷却装置１０を収容部４に収容する際に、皮膚冷却装置１０がカバー袋１の第１開口部５周縁に接触し難くなり、皮膚冷却装置１０の収容部４への収容が簡単になる。
【００４７】
しかる後、施術者は、裏面部３の延出部３ａに本体ケース１２の長手方向一端側下面を宛がって上記第１開口部５に向かって移動させる。すると、延出部３ａが皮膚冷却装置１０を収容部４に案内するので、施術者は、皮膚冷却装置１０を収容部４に簡単に収容することができる。
【００４８】
また、台紙１１に貼り付けられた裏面部３側に沿って移動させるので、台紙１１がカバー袋１の変形を抑えて皮膚冷却装置１０が滑らかに収容部４に案内されるようになり、施術者は、台紙１１が無い場合に比べて、さらに皮膚冷却装置１０を収容部４に簡単に収容することができる。
【００４９】
次いで、皮膚冷却装置１０をカバー袋１の収容部４に押し込むと、皮膚冷却装置１０の外形に対応するようにカバー袋１の収容部４が広がる。その際、表面部２及び裏面部３の第２開口部６周縁の張出部分は、皮膚冷却装置１０の外形に沿って移動できずに行き場が無くなるので、表面部２側と裏面部３側とが互いに離間して環状に開口する（図５参照）。したがって、未使用状態で第２開口部６が閉じた状態であっても、皮膚冷却装置１０をカバー袋１の収容部４に収容する動作で第２開口部６を広げることができる。
【００５０】
しかる後、皮膚冷却装置１０をカバー袋１の収容部４にさらに押し込むと、カバー袋１の当接部９に皮膚冷却装置１０の接触部１５側端部が当接するとともに、第２開口部６及び第３開口部７がそれぞれ空気導入部１３及び排出部１４に対応し、且つ、皮膚冷却装置１０の接触部１５がカバー袋１で覆われる。
【００５１】
そして、施術者は、カバー袋１を台紙１１から取り外すとともに、カバー袋１で覆われた皮膚冷却装置１０の電源を入れ、カバー袋１ごと皮膚冷却装置１０の把持部１２ａを把持する。その後、皮膚冷却装置１０の接触部１５で患者の穿刺箇所を冷却した後、患者に穿刺行為を行い、しかる後、使用したカバー袋１の収容部４から皮膚冷却装置１０を取り出す。
【００５２】
以上より、本発明の実施形態によると、カバー袋１で皮膚冷却装置１０の接触部１５周りを覆った状態で、空気が第２開口部６から皮膚冷却装置１０にスムーズに導入されるとともに、皮膚冷却装置１０内部の熱気が第３開口部７からスムーズに排出されるので、カバー袋１で皮膚冷却装置１０の接触部１５周りを覆ってもペルチェ素子１６が確実に冷却されて接触部１５の冷却効率の低下を防ぐことができる。
【００５３】
また、皮膚冷却装置１０で患者の穿刺箇所を冷却する際、穿刺箇所に接触部１５をカバー袋１を介して間接的に接触させるので、穿刺箇所に接触部１５を直接的に接触させる場合に比べて、次にその皮膚冷却装置１０を使用する患者の不快感を抑制できる。しかも、患者の穿刺箇所に接触部１５が間接的に接触するので、次の患者に対して新しいカバー袋１を使用することで患者間の病気の感染を防止することができる。
【００５４】
さらに、上記当接部９は、上記皮膚冷却装置１０の接触部１５側端部に沿う形状をなしているので、カバー袋１で皮膚冷却装置１０の接触部１５周りを覆った状態で、当接部９に皮膚冷却装置１０の接触部１５側の端部を当接させると、カバー袋１に対する皮膚冷却装置１０の挿入方向の移動と挿入方向と交差する方向の移動とが抑制される。したがって、カバー袋１に対して皮膚冷却装置１０がずれ難くなることで、第２開口部６及び第３開口部７が皮膚冷却装置１０の空気導入部１３及び排出部１４に対してずれ難くなり、皮膚冷却装置１０を使用する際にペルチェ素子１６を確実に冷却することができる。
【００５５】
それに加えて、皮膚冷却装置１０をカバー袋１の収容部４に収容すると、第２開口部６周縁の張出部分が本体ケース１２の表面に対して交差するように立ち上がって第２開口部６の開口面積が保たれるので、皮膚冷却装置１０の空気導入部１３において空気の導入がなされる際に、張出部分が上記空気導入部１３を覆って塞いでしまうといったことがなく、皮膚冷却装置１０に対する空気の導入を確実に行うことができる。
【００５６】
また、未使用状態でカバー袋１は扁平であるので、カバー袋１を複数枚束ねても嵩張らず、収納場所に収納し易い。さらに、カバー袋１を台紙１１に貼り付けると、柔軟性を有するカバー袋１が台紙１１によって変形し難くなるので、カバー袋１が取り扱い易くなる。
【００５７】
また、カバー袋１の収容部４に皮膚冷却装置１０を収容すると、該皮膚冷却装置１０全体がカバー袋１で覆われるので皮膚冷却装置１０を繰り返し使用しても汚れ難く衛生的である。
【００５８】
また、皮膚冷却装置１０を使用する際、施術者は、カバー袋１ごと皮膚冷却装置１０の把持部１２ａを把持するので、カバー袋１に対して皮膚冷却装置１０がずれ難く、第２開口部６及び第３開口部７を皮膚冷却装置１０の空気導入部１３及び排出部１４に確実に対応させることができ、ペルチェ素子１６を確実に冷却することができる。
【００５９】
尚、本発明の実施形態では、カバー袋１が皮膚冷却装置１０全体を覆うようになっているが、少なくとも接触部１５を覆うようにしていればよい。
【００６０】
また、本発明の実施形態では、第２開口部６周りが外側方に張り出しているが第３開口部７周りが外側方に張り出していてもよく、少なくとも第２開口部６及び第３開口部７周りの一方が張り出していればよい。
【００６１】
また、本発明の実施形態では、カバー袋１をポリエチレンで形成しているがその他の材料で形成してもよく、熱伝達性の高い柔軟性を有するカバー袋１であればよい。
【００６２】
さらに、本発明の実施形態では、カバー袋１の厚みが約０．１ｍｍであるが、その他の厚みであってもよく、０．０１〜０．２ｍｍであればよい。
【００６３】
また、本発明の実施形態では、台紙１１にカバー袋１を貼り付けた状態で、当該カバー袋１の収容部４に皮膚冷却装置１０を収容するようにしているが、台紙１１からカバー袋１を外した状態で当該カバー袋１の収容部４に皮膚冷却装置１０を収容してもよい。
【００６４】
また、本発明の第２開口部６周縁の張出部分は、張出長さが長すぎると、収容部４に皮膚冷却装置１０を収容しても張出部分先端側の表面部２及び裏面部３が互いに離間しなくなってしまうので、張出部分の張出長さは、扁平な未使用状態の第２開口部６の長さ（表面部２及び裏面部３の同じ側の各外周縁部における非接合部分の長さ）に対して約１／１０〜１／５程度が好ましい。
【産業上の利用可能性】
【００６５】
本発明は、皮膚冷却装置を使用する際に皮膚冷却装置の患者の穿刺箇所に接触させる部分を覆うカバー袋に適している。
【符号の説明】
【００６６】
１        皮膚冷却装置用カバー袋
２        表面部
３        裏面部
３ａ        延出部
４        収容部
５        第１開口部
６        第２開口部
７        第３開口部
９        当接部
１０        皮膚冷却装置
１１        台紙
１５        接触部
１６        ペルチェ素子
【図１】
2014039727.tif 000003
【図２】
2014039727.tif 000004
【図３】
2014039727.tif 000005
【図４】
2014039727.tif 000006
【図５】
2014039727.tif 000007